(57)【要約】  位置決定構成要素と動作検出構成要素とに結合され得るコントローラを記載する。一実施例では、動作検出構成要素は、可動アイテムの動きを検出し、動きを示す信号をコントローラに対して生成する。コントローラは、信号に応じて、位置決定構成要素に可動アイテムの地理的位置を決定させる。地理的位置が所定の地域内であるか否かに関して決定が行われる。決定に応じて、可動アイテムを制御するコマンドが生成され得る。
2008517490.tif 000002
【特許請求の範囲】
【請求項１】
可動アイテムを制御する方法であって、
前記可動アイテムに結合された起動装置を使用して、前記可動アイテムの動きを検出し、前記起動装置は、コントローラと、前記コントローラに結合された位置決定構成要素と、前記コントローラに結合された動作検出構成要素とを有し、
前記動きの検出に応じて前記可動アイテムの地理的位置を確認し、
前記地理的位置が所定の地域内であるか否かを決定し、
前記決定に応じて前記可動アイテムを制御するコマンドを生成することを有する方法。
【請求項２】
前記地理的位置を確認することは、前記地理的位置を確認するために衛星型位置決定システムを使用することを有する請求項１に記載の方法。
【請求項３】
前記地理的位置を確認することは、前記地理的位置を確認するために地上波型位置決定システムを使用することを有する請求項１に記載の方法。
【請求項４】
前記コントローラに結合された無線通信構成要素を使用してメッセージを送信することを更に有する請求項１に記載の方法。
【請求項５】
前記コントローラは、前記地理的位置が前記所定の地域の外側であることが決定された場合に、前記無線通信装置に前記メッセージを自動的に送信させる請求項４に記載の方法。
【請求項６】
前記メッセージは、前記可動アイテムに関連する故障についての情報を有する請求項４に記載の方法。
【請求項７】
前記可動アイテムに関連するイベントを検出し、前記メッセージを送信することを誘導するために参照テーブルを利用することを更に有する請求項４に記載の方法。
【請求項８】
前記メッセージを送信することは、前記無線通信構成要素を使用して前記地理的位置を伝達することを有する請求項４に記載の方法。
【請求項９】
前記可動アイテムは、車両、貨物、トラクター、バックホー、オフハイウェイ・トラクター、オフハイウェイ・トラック、舗装機械、電子装置、トラクター・スクレーパー、コンピュータ、工具、器具、セルラ電話、ポータブルコンピュータ装置、ラップトップコンピュータ、及び自動車電気システムを有するグループから選択される請求項１に記載の方法。
【請求項１０】
位置追跡サービスプロバイダと、
起動装置に結合された可動アイテムと
を有し、前記起動装置は、
コントローラと、
前記コントローラに結合された位置決定構成要素と、
前記コントローラに結合された動作検出構成要素と
を有する位置追跡システム。
【請求項１１】
前記位置検出構成要素は、前記可動アイテムの動きを検出したことに応じて、前記コントローラに対して割り込み信号を生成する請求項１０に記載の位置追跡システム。
【請求項１２】
前記コントローラは、前記割り込み信号を受信したことに応じて、前記位置決定構成要素に前記地理的位置を確認させる請求項１１に記載の位置追跡システム。
【請求項１３】
前記コントローラは、前記地理的位置が所定の地域内であるか否かを決定する請求項１２に記載の位置追跡システム。
【請求項１４】
前記コントローラは、前記決定に応じて、前記可動アイテムを制御するコマンドを生成する請求項１３に記載の位置追跡システム。
【請求項１５】
前記コントローラ、前記位置決定構成要素及び前記位置検出構成要素は、前記可動アイテム内に分配される請求項１０に記載の位置追跡システム。
【請求項１６】
前記位置決定構成要素は、前記地理的位置を確認するために位置決定システムを使用する請求項１２に記載の位置追跡システム。
【請求項１７】
前記位置決定システムは、衛星型位置決定システムを有する請求項１６に記載の位置追跡システム。
【請求項１８】
前記位置決定システムは、地上波型位置決定システムを有する請求項１６に記載の位置追跡システム。
【請求項１９】
前記コントローラに結合された無線通信構成要素を更に有する請求項１３に記載の位置追跡システム。
【請求項２０】
前記コントローラは、前記地理的位置が前記所定の地域の外側であることが決定された場合に、前記無線通信構成要素にメッセージを前記位置追跡サービスプロバイダに自動的に送信させる請求項１９に記載の位置追跡システム。
【請求項２１】
前記メッセージは、前記可動アイテムに関連する故障についての情報を有する請求項２０に記載の位置追跡システム。
【請求項２２】
前記コントローラは、前記メッセージを送信させる前記可動アイテムに関連するイベントを検出するために参照テーブルを利用する請求項２０に記載の位置追跡システム。
【請求項２３】
前記可動アイテムは、車両、貨物、トラクター、バックホー、オフハイウェイ・トラクター、オフハイウェイ・トラック、舗装機械、電子装置、トラクター・スクレーパー、コンピュータ、工具、器具、セルラ電話、ポータブルコンピュータ装置、ラップトップコンピュータ、及び自動車電気システムを有するグループから選択される請求項１０に記載の位置追跡システム。
【請求項２４】
可動アイテムの消費電力を制御する方法であって、
前記可動アイテムに結合された動作検出構成要素を使用して、前記可動アイテムの動きを検出し、
前記可動アイテムに結合されたコントローラに前記動きを指示し、
前記指示に応じて前記可動アイテムを制御するコマンドを生成することを有する方法。
【請求項２５】
前記可動アイテムの地理的位置を決定するために位置決定動作を実行し、
前記地理的位置が所定の地域内であるか否かを決定し、
前記決定に応じて前記コマンドを生成することを更に有する請求項２４に記載の方法。
【請求項２６】
前記地理的位置が前記所定の地域の外側であることに応じて、前記可動アイテムに結合された無線通信装置を使用して前記地理的位置を送信することを更に有する請求項２４に記載の方法。
【請求項２７】
前記可動アイテムと起動装置とを結合することを更に有し、
前記起動装置は、
前記コントローラと、
前記位置検出構成要素と、
前記位置決定構成要素と
を有する請求項２４に記載の方法。
【請求項２８】
前記コントローラ、前記位置検出構成要素及び前記位置決定構成要素は、前記可動アイテム内に分配される請求項２７に記載の方法。
【請求項２９】
前記位置決定動作は、前記可動アイテムの前記地理的位置を決定するために衛星型位置決定システムを利用することを有する請求項２４に記載の方法。
【請求項３０】
前記位置決定動作は、前記可動アイテムの前記地理的位置を決定するために地上波型位置決定システムを利用することを有する請求項２４に記載の方法。
【請求項３１】
前記可動アイテムに関連する故障を検出し、
前記故障を報告して支援を要求することを更に有する請求項２４に記載の方法。
【請求項３２】
前記可動アイテムは、車両、貨物、トラクター、バックホー、オフハイウェイ・トラクター、オフハイウェイ・トラック、舗装機械、電子装置、トラクター・スクレーパー、コンピュータ、工具、器具、セルラ電話、ポータブルコンピュータ装置、ラップトップコンピュータ、及び自動車電気システムを有するグループから選択される請求項２４に記載の方法。
【請求項３３】
コントローラと、
前記コントローラに結合され、前記可動アイテムの動きが検出されたときに信号を生成する動作検出構成要素と、
前記コントローラに結合され、前記可動アイテムの地理的位置を確認する位置決定構成要素と
を有する可動アイテム用の起動構成要素。
【請求項３４】
前記コントローラは、前記信号に応じて、前記位置決定構成要素に前記地理的位置を自動的に決定させる請求項３３に記載の起動構成要素。
【請求項３５】
前記コントローラは、前記地理的位置が所定の地域内であるか否かを決定し、前記決定に応じて前記可動アイテムを制御するコマンドを生成する請求項３３に記載の起動構成要素。
【請求項３６】
前記コントローラに結合された無線通信構成要素を更に有する請求項３３に記載の起動構成要素。
【請求項３７】
前記コントローラは、前記地理的位置が前記所定の地域の外側であることが決定された場合に、前記無線通信構成要素にメッセージを自動的に送信させる請求項３６に記載の起動構成要素。
【請求項３８】
前記コントローラ、前記動作検出構成要素及び前記位置決定構成要素は、前記可動アイテム内に分配される請求項３３に記載の起動構成要素。
【請求項３９】
前記位置決定構成要素は、加速度センサ、傾きセンサ、振動センサ、回転センサ、ジャイロスコープ又は動作センサである請求項３３に記載の起動構成要素。
【請求項４０】
前記電子装置は、車両、貨物、トラクター、バックホー、オフハイウェイ・トラクター、オフハイウェイ・トラック、舗装機械、電子装置、トラクター・スクレーパー、コンピュータ、工具、器具、セルラ電話、ポータブルコンピュータ装置、ラップトップコンピュータ、及び自動車電気システムを有するグループから選択される請求項３３に記載の起動構成要素。
【発明の詳細な説明】
【技術分野】
【０００１】
この出願は、Gregory  T.  Janky他による“A  Method  and  System  For  Controlling  An  Electronic  Device”という題で2003年3月19日に出願された同時継続の米国特許出願第10/392,995号の一部継続出願であり、この利益を主張する。米国特許出願第10/392,995号は、Dennis  Workmanによる“A  Portable  Motion-Activated  Position  Reporting  Device”という題で2002年8月15日に出願された同時継続の米国特許出願第10/222,532号の一部継続出願であり、この利益を主張する。双方が本発明の譲受人に譲渡されており、双方の全てが参照として取り込まれる。
【背景技術】
【０００２】
位置報告装置は、人又は物体の位置を見つけて報告するためにしばしば使用されている。典型的な位置報告装置は、GPS（Global  Positioning  System）モジュールのようなナビゲーションシステムと、セルラモデムのような移動通信システムとを結合し、追跡される人又は物の位置又は地理的位置を決定し、その位置を追跡施設に報告する。位置報告装置は、乗物追跡（fleet  tracking）及び物回収システム（asset  recovery  system）のように、タイムリーな位置情報が必要な様々なシステムで使用されている。
【０００３】
乗物追跡システムは、一連の位置測定を送信することにより、位置報告装置を運ぶ船又は車両の位置をユーザが監視することを可能にする。“位置測定”という用語は、固定の基準点を使用して未知の位置を決定する処理を示す。例えば、追跡中の乗物の経路は、位置報告装置により送信される連続的な位置測定を使用して推測され得る。同様に、連続的な位置測定が同じ位置を報告するときに、車両が移動していないことが推測され得る。乗物追跡システムは、車両の経路を決めて発送する配送サービスに一般的に使用されている。物回収システムは、所有物の回収を容易にするために、盗難された所有物又は紛失した所有物（例えば盗難車）の位置をサービスプロバイダ又は警察に報告する。
【０００４】
位置報告装置に関連する欠点は、これらが消費する電力量である。電池式の位置報告装置が存在するが、電源がオンのときに消費する電力量は、動作を継続するために頻繁な電池交換を必要とし得る。このことは、動作を継続するために過度のメンテナンス量を必要とし得る点で、位置報告装置の使用を或るユーザに不便にしている。
【０００５】
最近、特定の環境で様々な電子装置に関して問題が伝えられている。例えば、航空会社は、乗客が離陸及び着陸中に移動電話及びラップトップコンピュータの使用を避けることを要求している。この理由は、飛行機上のナビゲーション及び他の計測システムの動作を損ない得る電磁妨害を生じ得るからである。2001年7月から、米国国防総省は、更なる無線通信ネットワークの構築を一時停止しており、国防総省により明示的に承認されていない装置を使用した機密ネットワーク又はコンピュータへの接続を禁止している。これは、安全なデータの意図的でない危険を回避するためであり、ページャ、携帯情報端末（PDA）及び無線電子メール（e-mail）装置のようなパーソナル無線装置を含む。他の例として、劇場及びレストランのような多数の公共施設は、顧客が施設内で無線装置（例えば、移動電話及びページャ）の電源をオフすることを要求している。
【発明の開示】
【課題を解決するための手段】
【０００６】
本発明による一実施例は、位置決定構成要素と動作検出装置とに結合可能なコントローラを有し得る。一実施例では、動作検出構成要素は、可動アイテムの動きを検出し、動きを示す信号をコントローラに対して生成する。コントローラは、信号に応じて、位置決定構成要素に可動アイテムの地理的位置を決定させる。地理的位置が所定の地域内であるか否かに関して決定が行われる。決定に応じて、可動アイテムを制御するコマンドが生成され得る。
【０００７】
本発明の実施例は、貴重な可動アイテムを制御する方法及びシステムを有し得る。一実施例では、コントローラは、位置決定構成要素と、無線通信構成要素と、動作検出構成要素とに結合される。一実施例では、動作検出構成要素は、貴重な可動アイテムの動きを検出し、動きを示す信号をコントローラに対して生成する。コントローラは、信号に応じて、位置決定及び／又は報告装置を活性化し、貴重な可動アイテムの地理的位置を決定する。一実施例では、コントローラは電子装置の地理的位置と所定の地域とを比較し、比較に基づいて貴重な可動アイテムを制御するコマンドを生成する。
【０００８】
本発明の実施例は、指定の地域に入ったとき又は離れたときに、貴重な可動アイテムに特定のタスクを実行させるために使用され得る。例えば、本発明の実施例は、制限された領域に持ち込まれたときに、貴重な可動アイテム（例えば移動電話）を自動的に非活性化するために使用され得る。これは、劇場、空港、病院、ガソリンスタンド、又は電子装置の動作が例えばその領域の他の装置との望ましくない電磁妨害を生じ得る他の領域を有してもよい。ユーザが装置をシャットダウンすることを忘れる可能性を低減するために、ユーザはこれらの領域を指定することができる。他の実施例では、このシャットダウン機能の自動的な実装のために、ユーザは、このような除外地域の予めパッケージされたリストを受け付けてもよい。
【０００９】
同様に、本発明の実施例は、指定の地域の外に動かされたときに、貴重な可動アイテムに特定のタスクを実行させるために使用され得る。従って、ユーザが劇場、病院、空港等を離れると、本発明の実施例は、貴重な可動アイテムを自動的に活性化させ得る。一例として、ユーザが劇場の外に移動すると、ユーザの移動電話が活性化されてもよい。
【００１０】
他の実施例では、本発明は、盗難抑止として使用され得る。例えば、貴重な貨物が所有者により指定された地域の外に移動すると、本発明は、貨物にアラームを鳴らせ、セキュリティサービスプロバイダに通知を送信させ、及び／又は貨物の所有者に連絡させてもよい（例えばページャ、移動電話又は電子メールメッセージを介して所有者に連絡させる）。
【００１１】
本発明の特定の実施例がこの要約の中で特に記載されているが、本発明はこの実施例に限定されない点に留意すべきである。本発明は、特許請求の範囲に記載の本発明の範囲内に含まれ得る代替物、変更物及び均等物をカバーすることを意図する。
【発明を実施するための最良の形態】
【００１２】
本発明の実施例を詳細に示す。この例が添付図面に示されている。以下の詳細な説明に関して本発明を説明するが、これらは本発明をこれらの実施例のみに限定することを意図するものではないことがわかる。これに対して、本発明は、特許請求の範囲に規定される本発明の範囲内に含まれ得る代替物、変更物及び均等物をカバーすることを意図する。更に、本発明の以下の詳細な説明では、本発明の完全な理解を提供するために、様々な特定の詳細が示されている。しかし、本発明の実施例は、これらの特定の詳細なしに実施されてもよい。他の例では、本発明の態様を不要にあいまいにしないように、周知の方法、手順、構成要素及び回路が詳細に記載されていない。
【００１３】
本発明の実施例は、貴重な可動アイテムを制御する方法及びシステムに関係し得る。本発明の実施例は、貴重な可動アイテムの位置を監視し、その地理的位置に基づいて、アイテムに１つ以上の指定の動作を自動的に実行させるコマンドを生成するために使用されてもよい。本発明の実施例はまた、貴重な可動アイテムの未許可の動きを検出して報告し、未許可の動きが生じたときにそれを回収する際に支援するために使用され得る。本発明の実施例は、報告機能を誘導するテーブル索引又はイベントのテーブルを使用することにより、貴重な可動アイテムの動作を検出して報告し得る。本発明の実施例は、請求書が期限を過ぎたか否かに基づいて、貴重な可動アイテムに１つ以上の指定の動作を実行させるコマンドを生成するために使用されてもよい。本発明の実施例は、貴重な可動アイテムの何らかの故障を検出して報告するために使用されてもよい。
【００１４】
本発明の実施例は、貴重な可動アイテムに配置された起動構成要素を有する。本発明の実施例によれば、起動構成要素の下位要素は、貴重な可動アイテム内に分配可能であり、これにより、包装、ケース又は筐体内に適合する。起動構成要素は、貴重な可動アイテムの動きを検出するために動作検出構成要素を利用可能であり、信号をコントローラに送信する。この信号の受信に応じて、コントローラは位置決定構成要素を起動し、貴重な可動アイテムの地理的位置を決定する。起動構成要素はアイテムの動きが検出されるまで最小量の電力を引き出すため、このことは、起動構成要素の電池寿命（又はこれを利用する貴重な可動アイテムの電池寿命）を延ばし得る。一実施例では、地理的位置は、ユーザに関心のある地域の座標と比較される。貴重な可動アイテムが何の地域内にあるかに応じて、コントローラは、貴重な可動アイテムに１つ以上の特定の動作を実行させる１つ以上のコマンドを生成する。
【００１５】
本発明の実施例は、所定の地域を規定する一式の位置座標が提供されるジオフェンシング（geo-fencing）システムを利用し得る。本発明の実施例では、所定の地域に入ったとき又は所定の地域を出るときに、貴重な可動アイテムに１つ以上の特定のタスクを実行させる１つ以上のコマンドが生成され得る。例えば、本発明の実施例は、特定の地域に入ったときに貴重な可動アイテムを自動的にシャットダウンし、その地域を出たときに貴重な可動アイテムを自動的に活性化するように構成され得る。更に逆も当てはまる。本発明の実施例は、特定の地域に入ったときに貴重な可動アイテムを自動的にオンにし、その地域を出たときに貴重な可動アイテムを自動的にシャットダウンするように構成され得る。他の実施例では、位置座標は、アラームを起動することなく物が動かされ得る地域を規定する。貴重な可動アイテムがその地域の外に動かされると、非活性化されるまで可聴のアラームを起動するために使用され得る信号を提供する。代替として、この同じ信号は、貴重な可動アイテムの回収を容易にするために、装置の所有者及び／又は司法当局に通知する監視サービスに送信される無線メッセージを起動し得る。他の実施例では、動かされるべきでないときに貴重な可動アイテムが移動していること、又は動かされるべきであるときに貴重な可動アイテム移動していないことを装置の所有者及び／又は司法当局に通知する無線メッセージが、監視サービスに送信され得る。
【００１６】
ジオフェンシングシステムの例は、CaliforniaのSunnyvaleのTrimble  Navigation  Ltd.に譲渡されたJames  Janky、Eric  Klein及びJohn  Schipperによる“Vehicle  Route  and  Schedule  Exception  Reporting  System”という題の米国特許第5,751,245号に記載されている。この全ての内容が参照として取り込まれる。
【００１７】
図１は、本発明の実施例による例示的な起動構成要素100のブロック図である。起動構成要素100は、アドレス／データバス102に結合されたプロセッサ101を有する。プロセッサ101は、デジタル情報及び命令を処理し、バス102は、起動構成要素100の様々な構成要素間でデジタル情報を伝達する。また、揮発性の性質のデジタル情報及び命令を格納する揮発性メモリ104（例えばランダムアクセスメモリ（RAM））と共に、永続的な性質の情報及び命令を格納する不揮発性メモリ103（例えば読み取り専用メモリ（ROM））がバス102に結合されている。更に、起動構成要素100は、大量のデータを格納するデータ記憶装置105を任意選択で有してもよい。
【００１８】
本発明の実施例では、データ記憶装置105は、スマートカード又は光データ記憶装置のような取り外し可能記憶媒体を有してもよい。代替として、データ記憶装置105は、データの迅速な更新を容易にするために、フラッシュメモリ装置のようなプログラム可能データ記憶装置を有してもよい。プロセッサ101の命令及び所定の地域を規定する位置座標は、揮発性メモリ104、データ記憶装置105及び／又は外部記憶装置（図示せず）に格納され得る点に留意すべきである。同様に、起動構成要素100の前に決定された地理的位置、及び前にサンプリングされたGPS信号は、揮発性メモリ104、データ記憶装置105及び／又は外部記憶装置に格納され得る。起動構成要素100の１つ以上の所定の状況（例えば現在時間及び／又は位置）に応じて何の動作が起動されるべきかを決定する構成データもまた、揮発性メモリ104、データ記憶装置105及び／又は外部記憶装置に格納され得る。
【００１９】
図１で、起動構成要素100は、バス102に結合され、起動構成要素100の動作状態の変化を検出する動作検出器106を更に有する。一実施例では、動作検出器106は、起動構成要素100の動きに関連する振動を検出可能であり、起動構成要素100の振動の変化が検出されたときに、この動きをプロセッサ101に指示する。本発明の他の実施例では、動作検出器106は、加速度センサ、傾きセンサ、回転センサ、ジャイロスコープ等でもよい。しかし、この実施例は動作検出器106のこれらの特定の実装を記載しているが、本発明は、起動構成要素100の動きを検出し、この動きをプロセッサ101に指示するための様々な装置を利用することに適している。
【００２０】
本発明の実施例によれば、動作検出器106は、起動構成要素100が実質的な静止状態から移動状態にいつ遷移したかを検出し得る。動作検出器106はまた、起動構成要素100が移動状態から実質的な静止状態にいつ遷移したか、及び起動構成要素100の移動率の変化を検出し得る。従って、本発明の実施例では、動作検出器106は、加速又は減速と共に動きの開始又は終了のような起動構成要素100の動作状態の変化を検出し得る。これらの動きの変化に応じて、動作検出器106により割り込みが生成される。動作検出器106からの割り込みに応じて、プロセッサ101は、起動構成要素100の動作状態を、アイドル動作状態（起動構成要素100の数個の構成要素（例えば、無線通信構成要素107及び位置決定構成要素110）が最小量の電力を引き出す）からアクティブ動作状態（起動構成要素100が更なる電力を引き出す）に変更する。
【００２１】
図１で、無線モデム108と無線アンテナ109とを有する無線通信構成要素107は、バス102に結合される。GPS受信機111とGPSアンテナ112とを有する位置決定構成要素110は、バス102に結合される。
【００２２】
無線通信構成要素107は、無線メッセージ（例えばデータ及び／又はコマンド）を送信及び受信し得る。一実施例では、無線通信構成要素107は、セルラ無線アンテナ109とセルラ無線モデム108とを有し得る。一実施例では、起動構成要素100は、ショートメッセージサービス（SMS：Short  Message  Service）を使用してメッセージを送信及び受信する。しかし、本発明は他のメッセージフォーマットを同様に利用することにも適している。本発明の他の実施例では、無線通信構成要素107は、Bluetooth無線通信装置又はWi-Fiトランシーバのような他の無線通信装置を有してもよい。Wi-Fiトランシーバは、ポータブルコンピュータと公共区域（空港、喫茶店、レストラン、図書館等）のインターネットアクセスポイントとの間でローカルエリアネットワーク（LAN）を作るためにしばしば使用される。
【００２３】
位置決定システム110は、起動構成要素100の位置を決定し得る。本発明の実施例では、位置決定構成要素110は、GPSアンテナ112とGPS受信機111とを有し得る。しかし、本発明は特にGPS位置決定システムを記載するが、本発明の実施例は、地上波型及び衛星型の位置決定システムを同様に利用することにも適している。
【００２４】
図１で、制御要素113は、バス102に結合されており、現在時間及び／又は起動構成要素100の位置に応じて、制御インタフェース114を介して制御信号を生成し得る。
【００２５】
起動構成要素100に任意選択で結合される装置は、ユーザに情報を表示する表示装置116を有し得る。表示装置116は、液晶装置（LCD）、陰極線管（CRT）、電界放出ディスプレイ（FED）、プラズマディスプレイ、又はユーザに認識可能なグラフィック画像及び英数字文字を生成するのに適した他の表示装置でもよい。更に、本発明の実施例では、ユーザ入力装置115はまた、バス102に結合されてもよい。本発明の実施例では、ユーザ入力装置115は、データ、選択、更新及び起動構成要素100の制御を入力するキーボード及びカーソル制御装置（例えば、マウス、トラックボール、ライトペン、タッチパッド、ジョイスティック等）を有してもよく、これらに限定されない。起動構成要素100は、起動構成要素100に電力を提供する電池117を任意選択で有してもよい。この実施例は電池式の装置を記載するが、本発明は、制御する（又は関連する）装置又はアイテムに電気的に結合され、そのアイテムから電力を引き出すことに適している。例えば、起動構成要素100がラップトップコンピュータ内に配置されると、ラップトップコンピュータ自体から電力を引き出してもよい。
【００２６】
図１で、本発明の実施例では、起動構成要素100の構成要素は、PCMCIA（Personal  Computer  Memory  Card  Industry  Association）カード等のようなプリント基板120に配置されてもよい。このことにより、本発明の実施例は、様々な貴重な可動アイテム（非限定的に、如何なる形式の貨物、発電機、建設車両、トラクター、トラック、スーパーコンピュータ、工具、移動電話、ラップトップコンピュータ、携帯情報端末（PDA）、自動車電気システム等）に使用されることが可能になる。しかし、本発明の他の実装では、起動構成要素100は、他の装置又はアイテムを制御するために使用されるスタンドアローン装置でもよい。例えば、起動構成要素100は、バックホー（backhoe）に設置され、バックホーの位置に応じて動作を起動するために使用されてもよい。起動構成要素100の構成要素は、筐体（図示せず）に配置されてもよい点に留意すべきである。従って、本発明の実施例では、貴重な可動アイテムは、起動構成要素100を有する筐体がこれに組み込まれ又は統合され得るように作られ得る。代替として、本発明の実施例では、起動構成要素100の構成要素は、アイテムの筐体、ケース又は包装に適合するように貴重な可動アイテム内に分配され得る。例えば、貴重な可動アイテムが工具又は器具である場合、起動構成要素100の構成要素は、筐体、ケース又は包装に適合するように工具又は器具内に離れて分配され得る。
【００２７】
本発明の実施例では、前記の説明で記載した構成要素のいくつかは省略されてもよいことがわかる。例えば、起動構成要素100がラップトップコンピュータ又はPDA内に配置される場合、表示装置116及びユーザ入力装置115は冗長であるため、起動構成要素100のコストを低減するために省略されてもよい。本発明の実施例の他の実装では、起動構成要素100は、既に無線通信機能（例えば移動電話）を有する貴重な可動アイテムに配置されてもよい。従って、本発明の実施例では、起動構成要素100のコストを低減するために、無線通信構成要素107は省略されてもよい。更に、本発明の実施例では、制御要素113が省略されてもよい。例えば、貴重な可動アイテムを制御するために、制御インタフェース114を介して制御信号がプロセッサ101により生成されてもよい。
【００２８】
図１で、本発明の実施例では、動作検出器106が起動構成要素100の動きを検出すると、プロセッサ101に対して割り込み信号を生成し得る。割り込み信号に応じて、プロセッサ101は、無線通信構成要素107及び位置決定構成要素110のような起動構成要素100の他の構成要素を動作し得る。起動構成要素100の地理的位置は、位置決定構成要素110を使用して決定され得る。プロセッサ101は、この地理的位置と所定の地域を規定する地理的座標とを比較し得る。所定の地域の座標は、揮発性メモリ104及び／又は記憶装置105に存在してもよい。この比較に基づいて、プロセッサ101は、制御要素113に、起動構成要素100に関連する又は起動構成要素100が存在する貴重な可動アイテムを制御する１つ以上のコマンドを生成させ得る。
【００２９】
代替として、プロセッサ101は、貴重な可動アイテム自体を制御する１つ以上のコマンドを生成してもよい。例えば、起動構成要素100は、制限地域（劇場又は搭乗中の出発ラウンジから飛行機までの通路等）に入ったときに、貴重な可動アイテムを非活性化させる１つ以上のコマンドを生成するように構成されてもよい。起動構成要素100は、このシャットダウン機能を自律的に実行するように動作するようにプログラム可能であるため、カバンに保管された貴重な可動アイテムでも同様に動き、使用不可能なスペースにあるときに電池の放電を中止することにより他の貴重なサービスを実行する。貴重な可動アイテムが制限地域の外側に移動すると、プロセッサ101は、アイテムを再び活性化させる信号を生成してもよい。このことは、制限領域に入ったときに貴重な可動アイテムの電源をオフにすることを忘れ、又は制限領域を出たときにオンに戻すことを忘れるユーザにとって非常に便利になり得る。
【００３０】
図１で、本発明の実施例では、記憶装置105は、複数の所定の地域を規定し得る地理的座標と、貴重な可動アイテムが所定の地域の内側又は外側にあるか否かに応じてプロセッサ101により生成される関連コマンドとのデータベースを格納し得る。更に、地理的座標は、経路又は複数の経路を規定し得る。貴重な可動アイテムが指定の経路から外れると、プロセッサ101は、可動アイテムにコマンドを生成し得る。例えば、プロセッサ101は、装置が指定の地域から離れた場合に、貴重な可動アイテムに盗難抑止としてアラーム又は他のノイズを鳴らせ得る。代替として、プロセッサ101は、無線通信装置107を介したメッセージの送信を起動し、指定の地域を離れたことを貴重な可動アイテムの所有者に通知し得る、或いは警察又は他の機関に通知し得る。更に、プロセッサ101は、盗難されたときに貴重な可動アイテムを回収する際に支援するために、連続位置更新を起動し得る。
【００３１】
本発明の実施例により何の動作が起動されるべきかを決定するために使用される地理的位置又は経路情報は、時間情報を使用して更に変更されてもよい。例えば、起動構成要素100が自動車のような貴重な可動アイテム内に配置される場合、本発明の実施例により何の動作が起動されるべきかを決定するために、位置パラメータと共に時間パラメータが使用されてもよい。従って、ユーザは、通勤するときに使用される典型的な経路と、自動車がその経路で許可される時間とを指定してもよい。自動車が盗難されると、通勤経路の所定の境界内の地理的位置にあっても、不正な日時でその位置にいるため、起動構成要素100は、１つ以上の制御信号を生成してもよい。
【００３２】
図１で、起動構成要素100は、前述のように自動車が盗難されたことを伝達するメッセージの生成を起動してもよく、自動車の更なる移動を回避するために何らかの方法で自動車を無能にしてもよい。例えば、起動構成要素100は、自動車の点火システム及び／又はコンピュータに結合されてもよい。自動車の未許可の動きが生じたことを決定した後に、起動構成要素100は、車が移動を中止したことを次に動作検出器106が決定したときに、自動車のエンジンを無能にする制御信号を生成してもよい。このように、起動構成要素100は、例えば他の通勤者を危険にすることがある高速道路の途中で、自動車を無能にしない。本発明の実施例の動作検出器のない起動装置は、このように実行することができず、本発明の実施例により対処されるいくつかの状況に対してあまり柔軟でない対策又は反応の悪い対策を提供することがある点に留意すべきである。
【００３３】
位置決定装置を備えた動作検出器を利用することは、報告装置の動きを示す連続的な位置測定に依存する現在位置報告環境で表面上では反直感的又は少なくとも冗長である。例えば、異なる位置から来る一連の位置報告を受信することは、起動装置が移動中であることを示す。代替として、同じ位置から来る一連の位置報告を受信することは、起動装置が静止していることを示す。従って、動きを検出する暗示の機能を既に有する装置に動作検出構成要素を組み込むことは、冗長であると考えられている。
【００３４】
しかし、起動構成要素100に動作検出器106を提供することは、起動構成要素100の構成要素が地理的位置を決定するために活性化する期間を低減し、従って電池117の寿命又は起動構成要素100が結合され得る貴重な可動アイテムの電池寿命を延ばすため、有利である。従来の起動装置では、装置が移動しているか静止しているかを決定することは、連続的な位置測定を決定して比較することに依存している。連続的な位置測定が同じ位置からのものである場合、装置が静止していることが推測される。連続的な位置測定が異なる位置からのものである場合、装置が移動中であることが推測される。これらの位置測定は、装置が移動中であるという通知をタイムリーに提供するために、定期間隔で提供される必要がある。しかし、移動していない装置について連続的な位置測定を提供することは、特に装置が長期間に静止したままであるときに、電池の不要な放電になる。また、このことは、起動構成要素100の電池（例えば117）又は起動構成要素100が配置された貴重な可動アイテムの電池を頻繁に交換する必要のある装置、又は貴重な可動アイテムを外部電源に結合する必要のある装置のユーザにとって負担になる。
【００３５】
図１で、本発明の実施例では、記憶装置105はまた、起動装置100の前に決定された地理的位置及び／又は前にサンプリングされたGPS信号を格納してもよい。このことは、ビル内のように、衛星へのはっきりしたパスが部分的又は全体的にあいまいである環境で、信号の取得を助ける。或るGPSの実装では、前にサンプリングされたGPS信号は、GPS受信機（例えば111）の現在位置を迅速に決定し、低い信号対雑音比の状況でその感度を改善するために使用され得る。
【００３６】
１つのこのようなシステムは、CaliforniaのSan  JoseのSnapTrack  Inc.に譲渡されたNorman  F.  Krasner  による“Fast  Acquisition,  High  Sensitivity  GPS  Receiver”という題の米国特許第6,289,041号に記載されており、この全てが参照として取り込まれる。この特許では、Krasnerは、受信機の感度及び取得速度を改善するために、現在サンプリングされたGPS信号が前にサンプリングされたGPS信号と累積されるシステムを記載している。しかし、本発明は、低い信号対雑音比の状況の間にGPS受信機の感度を改善するための様々な実装を利用することに適している。
【００３７】
本発明の実施例はスタンドアローン装置として利用可能であるが、本発明の実施例は、貴重な可動アイテムの位置を決定する他の方法を利用してもよい。例えば、多くの移動電話システムは、無線911サービスの品質を改善することを要求するE991標準に準拠している。第１段階のプログラムは、キャリアが無線電話を受信するアンテナの位置を報告することを要求する。第２段階のプログラムは、キャリアがかなり正確な位置情報（例えば50-100メートル内）を提供することを要求する
第２段階のレベルの準拠を提供する１つの対策は、CaliforniaのSan  JoseのSnapTrack  Inc.に譲渡されたRichard  Girerd及びNorman  Krasnerによる“Client-Server  Based  Remote  Locator  Device”という題の米国特許第6,131,067号に記載のサーバ支援型位置決定システムである。この全ての内容が参照として取り込まれる。このシステムでは、遠隔装置はサーバにGPSデータを送信し、サーバは遠隔装置の位置を導くようにデータを処理する。サーバは、導かれた位置をクライアントに送信する。クライアントは遠隔装置の位置を表示可能である。Girerdの実施例では、遠隔装置は、未処理の位置信号（例えばGPS衛星信号）をサーバに送信し得る。未処理の位置信号は、遠隔装置の位置を導くように処理される。
【００３８】
新しい地上波型技術の例は、Matthew  Rabinowitz及びJames  Spilkerにより2002年5月31日に出願され、CaliforniaのRedwood  CityのRosum  Corporationに譲渡された“Position  Location  Using  Global  Positioning  Signals  Augmented  by  Broadcast  Television  Signals”という題の米国特許出願第10/159,478号に記載されている。この内容の全てが参照として取り込まれる。前記の出願では、ユーザ端末の位置を決定するために、GPS信号と共に放送テレビ信号を使用する方法及びシステムが記載されている。
【００３９】
新しい地上波型技術の他の例は、Matthew  Rabinowitz及びJames  Spilkeにより2002年1月22日に出願され、CaliforniaのRedwood  CityのRosum  Corporationに譲渡された“Position  Location  Using  Broadcast  Analog  Television  Signal”という題の米国特許出願第10/054,302に記載されている。この内容の全てが参照として取り込まれる。前記の出願では、ユーザ端末の位置を決定するために、既知の基準点として複数のアナログテレビ送信機を使用する方法及びシステムが記載されている。
【００４０】
Matthew  Rabinowitz及びJames  Spilkeにより2001年8月17日に出願され、CaliforniaのRedwood  CityのRosum  Corporationに譲渡された“Position  Location  Using  Terrestrial  Digital  Video  Broadcast  Television  Signals”という題の米国特許出願第09/932,010号、及び2002年1月22日に出願された“Time-Gated  Delay  Lock  Loop  Tracking  of  Digital  Television  Signals”という題の米国特許出願第10/054,262号の全てが参照として取り込まれる。前記の出願では、ユーザ端末の位置を決定するために、既知の基準点として複数のデジタルテレビ送信機を使用する２つの方法が記載されている。
【００４１】
このように、本発明の実施例は、貴重な可動アイテムがスタンドアローンで又は他のいわゆる“補助”システムと共にその位置を決定することに適している。貴重な可動アイテムが無線通信システムのサービスエリアの外側にあるときに、本発明の実施例を使用してその位置を依然として決定することができる。
【００４２】
図２は、本発明の実施例に従って利用される位置追跡システム200の図である。システム200は、起動構成要素100（図示せず）に結合され得る貴重な可動アイテム201と、位置決定システム（例えば202又は203）と、位置追跡サービスプロバイダ204とを有する。貴重な可動アイテム201は、本発明の実施例に従って様々な方法で実装可能である点に留意すべきである。例えば、貴重な可動アイテム201は、試験装置のアイテム又は他の貴重な器具のような電子装置、全体局（total  station）として知られる光学装置を含む探査器、又はTrimble  Navigation  Ltd.,  Leica若しくはTopconにより製造されたGPS探査器を有してもよく、これに限定されない。更なる例は、電動であるが可動の（携帯型）工具、自動車、トラクター、土木機械（ブルドーザー、アース・ムーバ、スクレーパー、又は土木運搬トラック等）を含む。更なる例は、器具、トレーラ又は貨物運搬コンテナを含む何らかの種類の貨物、コンピュータ装置、スーパーコンピュータ、燃料又は化学物質運搬を含む他の種類のトラック、又は他の種類の車両を含む。図２の実施例では、貴重な可動アイテム201は、サービスプロバイダ204と無線通信することができる。貴重な可動アイテム201が動かされると、起動構成要素100は動きを検出し、位置決定システム202又は位置決定システム203を使用してその地理的位置を決定することができる。
【００４３】
本発明の実施例によれば、位置決定システム202は、地上波型位置決定システムである。非限定的にLORAN-C、Decca、無線ビーコン等のように、本発明の実施例により利用可能な様々な地上波型位置決定システムが存在する。更に、本発明は、地上波型位置決定システム（例えばRosum位置決定技術）の将来の実装を利用することに適している。
【００４４】
図２で、本発明の他の実施例では、起動構成要素100は、その位置を決定するために、衛星型位置決定システム203を利用する。GPS（Global  Positioning  System）、DGPS（Differential  GPS）、Eurofix  DGPS、GLONASS（Global  Navigation  Satellite  System）、Galileoシステム等のように、本発明の実施例により利用可能な様々な衛星型位置決定システムが存在する。更に、本発明は、衛星型位置決定システムの将来の実装を利用することに適している。
【００４５】
前述のように、本発明の実施例は、貴重な可動アイテム201の位置を決定し、可動アイテム201の現在位置と所定の地域又は経路の一式の地理的座標とを比較することができる。貴重な可動アイテム201と所定の地域との間の関係に応じて、起動構成要素100は、貴重な可動アイテム201に１つ以上の動作を実行させる１つ以上のコマンドを生成してもよい。例えば、貴重な可動アイテム201が許可なしに指定の地域又は経路から動かされると、通知として無線メッセージが位置追跡サービスプロバイダ204に送信されてもよい。代替として、起動構成要素100は、（例えば図１の入力装置115を使用して）ユーザがセキュリティコードを入力するまで、貴重な可動アイテム201に可聴アラームを発行させてもよい。図２の実施例は、位置追跡サービスプロバイダ（例えば204）と共に起動構成要素100を使用することを記載しているが、本発明は、スタンドアローン装置として使用されることに適している。すなわち、起動構成要素100は、位置追跡サービスプロバイダ204と相互作用することなく、貴重な可動アイテムを制御するために使用されてもよい。例えば、ユーザは、地理的地域に応じて、単に貴重な可動アイテム201に特定の動作を実行させるが、位置追跡サービスプロバイダ204に報告させないことを要求してもよい。
【００４６】
図３は、本発明の実施例による起動構成要素100の動作状態を示す状態図300である。図３の動作状態S1において、起動構成要素100は、アイドル動作状態にある。本発明の実施例では、起動構成要素100がアイドル動作状態にあるときに、電力を放電する唯一の構成要素は、プロセッサ101及び動作検出器106のリアルタイムクロックでもよい。このことにより、起動構成要素100は、最小量の電力が電池117又は起動構成要素100が配置され若しくは関連付けられた貴重な可動アイテム（例えば図２の201）から引き出される動作状態に留まることが可能になる。本発明の実施例では、起動構成要素100がアイドル動作状態S1にある間に、わずかに10μAが引き出される。動作状態S1で電池の放電は最小化されるため、電池117又は貴重な可動アイテム201の電池交換の期間が延びる。このことは、電池寿命の節約が重要な問題である多くの貴重な可動アイテム201にとって重要になり得る。
【００４７】
図３のイベント301において、動作検出器106は、貴重な可動アイテム201の動作状態の変化を検出可能であり、起動構成要素100のコントローラ（例えば図１のプロセッサ101）に対して割り込みを生成する。動作状態の変化は、動きの開始又は終了でもよく、起動構成要素100の加速又は減速でもよい。動作検出器106からの割り込みに応じて、プロセッサ101は、起動構成要素100に動作状態S2に遷移させる。動作状態S2は、起動構成要素100が位置決定構成要素110を使用して現在の地理的位置の位置測定を達成することを試みることができる起動構成要素100のアクティブ動作状態である。
【００４８】
起動構成要素100が所定の期間内にその位置をうまく決定すると、自動的に“測定”メッセージをサービスプロバイダ204に送信することを試み、可動アイテムの現在時間及び現在の地理的位置を提供することができる。起動構成要素100が移動中であることを動作検出器106が検出する間に、起動構成要素100は、定期的にその位置を決定し、その位置情報をサービスプロバイダ204に送信し続けることができる。このことにより、サービスプロバイダ204は、起動構成要素100を追跡することができ、移動中に起動構成要素100が監視している貴重な可動アイテム（例えば201）を追跡することができる。位置測定の間の期間は、図３の動作状態S6の所定の期間により決定され得る。
【００４９】
起動構成要素100の現在位置を決定する所定の期間は、起動構成要素100のユーザ又はサービスプロバイダ204により設定された初期設定でもよい点に留意すべきである。起動構成要素100が所定の期間内にその位置を決定することができない場合、自動的に“未測定”メッセージを位置追跡サービスプロバイダ204に送信することを自動的に起動し得る。未測定メッセージは、起動構成要素100が電子装置201の動きを検出したが、その位置が所定の期間内に位置決定システム（例えば202又は203）を使用して決定できないことを、サービスプロバイダ204に伝える。しかし、本発明の実施例では、起動構成要素100の位置は、動作状態S4の間にサービスプロバイダ204と交換されるSMS未測定メッセージに含まれるセルラIDセクタ情報に対して検査されてもよく、複数の移動電話通信（例えばセルラ）タワーを使用して粗く三角測量されてもよい。
【００５０】
本発明の実施例では、起動構成要素100が動作状態S2にあるときに、プロセッサ101及び位置決定構成要素110は、電力を引き出す唯一の構成要素になり得る。本発明の実施例では、動作状態S2の間の電流放電は、起動構成要素100がその位置を決定している間に70mAであると推定される。
【００５１】
図３のイベント302において、起動構成要素100は、動作状態S3に遷移する。本発明の実施例によれば、起動構成要素100は、うまくその位置を決定した後に、動作状態S2から動作状態S3に遷移する。代替として、動作検出器106が動きを検出する前に期間308が終了した場合に、起動構成要素100は動作状態S3に自動的に遷移する。期間308は、初期設定でもよく、起動構成要素100のユーザ又はサービスプロバイダ204により設定された所定のパラメータでもよい。
【００５２】
起動構成要素100が位置決定構成要素110を使用してその位置をうまく決定した場合、動作状態S3で所定の状況（例えば現在時間及び／又は位置）に基づいて何の動作が起動されるべきかを決定し得る。例えば、起動構成要素100の現在時間及び／又は地理的位置に基づいて行われる所定の動作を記述したデータベースが、記憶装置105からアクセスされてもよい。従って、貴重な可動アイテム201が空港を規定する地域に入ると、所定の動作は、可動アイテム201のシャットダウンルーチンを起動する信号を生成することでもよい。貴重な可動アイテム201が空港を規定する地域を離れると、起動構成要素100は、可動アイテム201を再び起動又は活性化する信号を生成してもよい。
【００５３】
更に、起動構成要素100は、図３の貴重な可動アイテム201が何の地域に現在あるかに応じて、異なる動作を実行するように構成されてもよい。例えば、起動構成要素100がラップトップコンピュータを制御するために使用される場合、ユーザは、ラップトップがユーザの職場の近くに持ち込まれたときに特定のソフトウェアアプリケーション（例えば表計算アプリケーション）が起動されるように、又はラップトップがユーザの家の近くに持ち込まれたときに異なるソフトウェアアプリケーション（例えばウェブブラウザアプリケーション）を起動するように、本発明の実施例を構成し得る。
【００５４】
前述のように、本発明の実施例により起動される動作はまた、現在時間と共に現在位置により決定されてもよい。従って、本発明の実施例は、特定の時間に所定の位置にいるときに１つの動作を起動するように構成され、同じ位置ではあるが異なる時間に第２の動作を起動するように構成されてもよい。
【００５５】
図３で、動作状態S3において、プロセッサ101は、起動構成要素100の所定の状況（例えば現在時間及び／又は現在位置）に応じて何の動作が行われるべきかを決定し得る。起動構成要素100は、所定の状況（例えば現在時間及び／又は地理的位置）に基づいて貴重な可動アイテム201を制御する１つ以上のコマンドを生成し得る。更に、動作状態S2の間に位置決定構成要素110により取得されたクロック情報を使用して、プロセッサ101のリアルタイムクロックが更新されてもよい。更に、動作状態S3の間に、起動構成要素100の動作パラメータが検査されてもよい。例えば、電池交換がまもなく必要になり得るか否かを決定するために、電池117の状態が検査されてもよい。他のパラメータは、期間308の長さ、（例えば動作状態S2の間に）起動構成要素100の現在の地理的位置をうまく決定するための期間、起動装置100の現在のソフトウェアバージョン、及び／又は所定の地理的地域のデータベースの現在のバージョン等を含んでもよい。
【００５６】
図３のイベント303において、起動構成要素100は、動作状態S4に遷移し得る。本発明の実施例によれば、起動構成要素100は、所定の状況に基づいて何の動作が起動されるべきかをうまく決定した後に、動作状態S2から動作状態S3に遷移する。動作状態S4において、起動構成要素100は、位置追跡サービスプロバイダ204にデータを送信することを試みる。例えば、起動構成要素100は、無線通信構成要素107を使用して、貴重な可動アイテム201の現在時間及び地理的位置を位置追跡サービスプロバイダ204に送信することを試みてもよい。送信され得る更なる情報は、起動構成要素100の動作状態の変化の種類を有する。例えば、メッセージは、起動構成要素100の動作が起動されたこと又は停止されたことを示してもよい。代替として、（例えば動作状態S2の間に）起動構成要素100がうまくその位置を決定する前に、所定の期間が終了した場合、起動構成要素100は、貴重な可動アイテム201が動かされたが、位置決定構成要素110を使用してその位置を決定することができなかったことを伝達するメッセージをサービスプロバイダ204に送信し得る。
【００５７】
更に、電池状態及び貴重な可動アイテム201の現在の動作パラメータのように、測定及び未測定メッセージは更なる情報を有してもよい。電池状態情報を送信することにより、本発明の実施例は、ユーザが貴重な可動アイテム201を適切に動作させ続けるために実行する必要のあるメンテナンス量を低減する。例えば、位置追跡サービスプロバイダ204は、電池が少なくなったことが決定されると、可動アイテム201の電池を交換することを気付かせるメッセージをユーザに送信し得る。本発明の一実施例では、可動アイテム201の電池を交換することを気付かせるテキストメッセージがユーザの移動電話205（例えば携帯電話）に送信されてもよく、電子メール（e-mail）メッセージがユーザの家又は職場のコンピュータ206に送信されてもよい。更に、位置追跡サービスプロバイダ204は、所定の地理的地域のデータベースの更新が起動構成要素100に送信されるべきか否かを決定してもよい。
【００５８】
本発明の実施例では、サービスプロバイダ204が起動構成要素100から位置測定メッセージを受信すると、メッセージのデータと、貴重な可動アイテム201の一式の所定の位置パラメータ（例えばユーザにより設定される）とを比較する。可動アイテム201の位置が所定の位置パラメータの外側にある場合、貴重な可動アイテム201が許可された位置パラメータの外側に動かされたことを知らせるメッセージが、ユーザ及び／又は司法当局に送信され得る。更に、サービスプロバイダ204は、装置を回収する際に支援するため、貴重な可動アイテム201の位置を（例えば）司法当局に提供し得る。更に、サービスプロバイダ204は、監視されている物201を回収する際に支援するために位置測定が更に頻繁に送信されるように、動作状態S4の間に起動構成要素100の動作パラメータを変更し得る。サービスプロバイダ204はまた、所定の動作を実行させるコマンドを貴重な可動アイテム201に送信してもよい。例えば、サービスプロバイダ204は、回収されるまで又はセキュリティコードが入力されるまで非活性化させるコマンドを可動アイテム201に送信し得る。サービスプロバイダ204はまた、回収されるまで又はセキュリティコードが入力されるまでアラームを鳴らせるコマンドを貴重な可動アイテム201に送信し得る。
【００５９】
一例として、ユーザが最初にサービスプロバイダ204の位置追跡サービスに加入すると、ジオフェンシングを利用したいか否かを質問されてもよい。ユーザは、貴重な可動アイテム201について関心のある地域（又は経路）の地理的座標と、任意選択で可動アイテム201がその領域に存在することを許容される期間とを提供し得る。地理的座標は、警告メッセージをユーザに対して起動することなく、可動アイテム201が移動を許容される領域を指定する。ユーザはまた、貴重な可動アイテム201が所定の地域又は経路のうち１つに入ったとき又は出たときに、プロセッサ101により起動される１つ以上の動作を指定し得る。例えば、貴重な可動アイテム201がこの位置又は領域又は地域又は経路の外に動かされると、サービスプロバイダ204はユーザ及び／又は司法当局に連絡し、貴重な可動アイテム201の未許可の移動が生じたことを通知する。サービスプロバイダ204は、ユーザの移動電話105（例えばセルラ）にテキストメッセージを送信してもよく、ユーザのコンピュータ106等に電子メールメッセージを送信してもよい。前述のように、サービスプロバイダ204は、起動構成要素100の動作パラメータを変更するコマンドを送信してもよく、可動アイテム201を回収することを支援するために、物201の未許可の移動が検出されたときに頻繁な位置報告を送信させる。
【００６０】
更に、起動構成要素100は、動作状態S4の間に動作状態情報を送信し得る。このことにより、サービスプロバイダ204は、貴重な可動アイテム201の動作状態を監視し、これをユーザに通知することが可能になる。例えば、起動構成要素100は、貴重な可動アイテム201に関連する何らかの故障をサービスプロバイダ204に報告し得る。この故障は、ユーザ及び／又は適切な修理機関に転送され得る。サービスプロバイダ204は、可動アイテム201に関連する何らかの故障に関して、貴重な可動アイテム204のユーザ及び／又は適切な修理機関に電子メール又は他のメッセージを送信し得る。代替として、起動構成要素100は、貴重な可動アイテム201に関連する何らかの記載されたイベント又は動作の発生を決定するために、参照テーブル（又はイベントのテーブル）を利用し得る。このように、参照テーブルは、起動構成要素100からの報告機能を誘導し得る。貴重な可動アイテム201に関連する広範囲のイベント又は動作が参照テーブル（又はイベントのテーブル）の一部として含まれてもよい点に留意すべきである。更に、起動構成要素100は、貴重な可動アイテム201の電池状態を報告し、電池が交換される必要のあるときにユーザに通知し得る。例えば、サービスプロバイダは、必要なときに装置の電池を交換することを気付かせる電子メール又は他のメッセージを貴重な可動アイテム201のユーザに送信し得る。本発明の実施例では、動作状態S4の間に無線通信構成要素107のみが電力を引き出し得る。本発明の実施例では、起動構成要素100は、動作状態S4でその位置を送信している間に、約400mAを放電することが推定される。
【００６１】
図３のイベント304において、起動構成要素100が動作状態S4の間にうまくデータを送信することができたため、起動構成要素100は動作状態S5に遷移する。動作状態S5において、起動構成要素100は照会状態にあり、サービスプロバイダ204からコマンドと動作パラメータとを受信し得る。更に、この時点で、起動構成要素100の動作パラメータを変更するコマンドが受信され得る。例えば、位置決定構成要素100が起動構成要素100の位置を決定することを許される期間は、動作状態S5の間に変更され得る。他のパラメータは、動作を起動する所定の地理的地域及び／又は所定の地理的地域の１つに入る又は出るときに行われる動作を規定するデータベースを有してもよい。この実施例は、特にこれらのパラメータを記載しているが、本発明は、動作状態S5の間に様々な動作のコマンドを受信することに適している。一実施例では、起動構成要素100が動作状態S5にある間に、無線通信構成要素107のみが電力を引き出し得る。同様に、このことは、起動構成要素100の電池117（又は貴重な可動アイテム201の電池）から引き出される電力量を低減する。これによって、電池寿命を延ばす。本発明の実施例では、起動構成要素100は、動作状態S5の間に約5mAの電力を引き出すことが推定される。
【００６２】
イベント305において、位置追跡サービスプロバイダ204との通信が完了すると、起動構成要素100は、動作状態S6に遷移する。代替として、イベント306において、所定の期間が経過して、起動構成要素100が動作状態S4の間にうまくデータを送信することができなかった場合に、起動構成要素100は動作状態S6に遷移する。
【００６３】
図３で、動作状態S6は、起動構成要素100が所定の期間にアイドルに留まらせ得る遅延状態でもよい。これは、連続的な位置測定の間の期間を設定可能であり、起動構成要素100が移動中にその位置を継続して決定しようとする際に電池117（又は可動アイテム201の電池）から過度の電池を引き出すことを回避する。本発明の実施例では、起動構成要素100は、動作状態S6の間にわずかに10μAの電力を引き出し得る。所定の期間は、初期設定され得る又は動作状態S5の間に起動構成要素100のユーザ若しくはサービスプロバイダ204により設定され得る動作パラメータでもよい。
【００６４】
動作状態S6の所定の期間の長さは、サービスプロバイダ204から動作パラメータを受信した結果として、照会動作状態（例えばS5）の間に変更され得る。一実施例では、起動構成要素100の未許可の動きが発生したことをサービスプロバイダ204が決定すると、動作状態S6の期間の長さが動作状態S5の間に変更され、起動構成要素100に対してその位置をサービスプロバイダ204に継続的に又は更に頻繁に送信（又は出力）させ得る。このことは、起動構成要素100が配置される又は関連付けられる装置201を見つけて回収することを容易にする。イベント307で動作状態S6の所定の期間が終了した後に、起動構成要素100は再び動作状態S1に入り、この時点で、起動構成要素100は、貴重な可動アイテム201が動かされていることを動作検出器106が検出した場合の処理を繰り返し得る。
【００６５】
図４は、本発明の実施例に従って貴重な可動アイテムを制御する方法400のフローチャートである。方法400は、コンピュータ装置が読み取り可能及び実行可能な命令（又はコード）の制御で、プロセッサ及び電気構成要素により実行され得る本発明の実施例の処理を有する。コンピュータ装置が読み取り可能及び実行可能な命令（又はコード）は、例えば、揮発性メモリ、不揮発性メモリ及び／又は大容量データ記憶装置のようなデータ記憶機能に存在してもよい。しかし、コンピュータ装置が読み取り可能及び実行可能な命令（又はコード）は、如何なる種類のコンピュータ装置が読み取り可能な媒体に存在してもよい。特定の実施例が方法400で開示されているが、このような動作は例示である。すなわち、方法400は、図４に示す動作の全てを有さなくてもよい。代替として、方法400は、様々な他の動作及び／又は図４に示す動作の変更を有してもよい。方法400の動作はそれぞれ、ソフトウェア、ファームウェア、ハードウェア又はこれらの何らかの組み合わせで実行され得る点に留意すべきである。
【００６６】
動作410において、貴重な可動アイテム（例えば図２の201）の何らかの動きが検出されたか否かに関して決定が行われ得る。検出されない場合、方法400は動作410の始まりに進む。しかし、動作410において、貴重な可動アイテムの動きが検出されたことが決定された場合、方法400は動作420に進む。貴重な可動アイテムの何らかの動きの検出は、本発明の実施例に従って様々な方法で実施され得る点に留意すべきである。例えば、貴重な可動アイテムの動きは、貴重な可動アイテム内に配置された又は貴重な可動アイテムに関連する起動装置（例えば図１の100）を使用して検出され得る。本発明の実施例によれば、起動装置は、動作検出構成要素（例えば106）とコントローラ（例えばプロセッサ101）とを有し得る。動作検出器は、コントローラと結合され得る。動作検出器106は、起動装置100の動作状態の変化を検出する。例えば、動作検出器106は、起動構成要素100が実質的な静止状態から移動状態にいつ遷移したかを検出し得る。動作検出器106はまた、起動構成要素100が移動状態から実質的な静止状態にいつ遷移したか、又は起動構成要素100の移動率の何らかの変化を検出し得る。
【００６７】
動きを検出する動作検出構成要素を起動構成要素100に結合することは、その電池又は貴重な可動アイテム201の電池の消費電力を低減する新規な方法である点に留意すべきである。この理由は、動きが生じていないときに、起動構成要素100が最小量の電力を引き出しつつ、可動アイテム201の位置を監視することを可能にするからである。本発明の実施例では、起動構成要素100がアイドル動作状態にある間に、コントローラ101及び動作検出器106のリアルタイムクロックのみが電力を引き出し得る。起動構成要素100は、動作検出器106が貴重な可動アイテム201の動作状態の変化を検出しなければ、その地理的位置を決定しようとしないように実行され得る点に留意すべきである。従って、貴重な可動アイテム201の位置を監視する位置測定の数が最小化され、消費電力が減少する。
【００６８】
図４の動作420において、貴重な可動アイテムの地理的位置は、その動きの検出に応じて決定され得る。動作420は様々な方法で実装され得る点に留意すべきである。一実施例では、動作検出器106は、起動構成要素100が配置された（又は関連付けられた）貴重な可動アイテムの動きに関連する振動を検出し、動きの変化が検出されたときに、この動きをプロセッサ101に指示する。本発明の実施例では、プロセッサ101は、動作検出器106からの割り込みを受信したことに応じて、位置決定構成要素（例えば図１の110）に貴重な可動アイテム201の地理的位置を自動的に決定させ得る。本発明の実施例では、貴重な可動アイテム201の地理的位置を決定するために、地上波型又は空間型位置決定システムが利用されてもよい。更に、貴重な可動アイテム201の地理的位置を決定するためのデータの処理は、プロセッサ101により実行されてもよく、遠隔位置のサーバ又はコンピュータ（例えば図２のサービスプロバイダ204）と共に実行されてもよい。
【００６９】
動作430において、動作420で決定された地理的位置が所定の地域（又は区域又は領域又は経路）内にあるか否かに関して決定が行われる。所定の地域にない場合、方法400は動作410に進む。しかし、貴重な可動アイテムの地理的位置が所定の地域内にあると動作430で決定された場合、方法は動作440に進む。動作430は様々な方法で実装され得る点に留意すべきである。例えば、本発明の実施例では、貴重な可動アイテム201の現在位置が、地域又は区域又は領域又は経路を規定する地理的座標と比較され得る。これらの座標は、プロセッサ101に結合されたメモリ（例えば図１の記憶装置105）に格納されてもよく、遠隔（例えば図４のサービスプロバイダ204）で格納されてもよい。
【００７０】
図４の動作440において、貴重な可動アイテムを制御する１つ以上のコマンドが生成され得る。本発明の実施例では、（動作420で決定された）貴重な可動アイテム201の現在の地理的位置と、特定の地域を規定する地理的座標との間の関係に応じて、貴重な可動アイテム201を制御する１つ以上のコマンドが（例えばプロセッサ101により）生成され得る。更に、可動アイテム201の現在位置と特定の所定の地域（又は区域又は経路）との間の関係に応じて、異なるコマンドが生成され得る。例えば、貴重な可動アイテム201が所定の地域内にあるときに、可動アイテム201を制御する第１のコマンドが生成され得る。貴重な可動アイテム201がその地域の外に動かされると、可動アイテム201を制御する異なるコマンドが生成され得る。
【００７１】
図５は、本発明の実施例に従って貴重な可動アイテムの消費電力を制御する方法500のフローチャートである。方法500は、コンピュータ装置が読み取り可能及び実行可能な命令（又はコード）の制御で、プロセッサ及び電気構成要素により実行され得る本発明の実施例の処理を有する。コンピュータ装置が読み取り可能及び実行可能な命令（又はコード）は、例えば揮発性メモリ、不揮発性メモリ及び／又は大容量データ記憶装置のようなデータ記憶機能に存在してもよい。しかし、コンピュータ装置が読み取り可能及び実行可能な命令（又はコード）は、如何なる種類のコンピュータ装置が読み取り可能な媒体に存在してもよい。方法500で特定の動作が開示されているが、このような動作は例示である。すなわち、方法500は、図５に示す動作の全てを有さなくてもよい。代替として、方法500は、様々な他の動作及び／又は図５に示す動作の変更を有してもよい。方法500の動作はそれぞれ、ソフトウェア、ファームウェア、ハードウェア又はこれらの何らかの組み合わせにより実行され得る点に留意すべきである。
【００７２】
動作510において、貴重な可動アイテムの動きは、可動アイテムに結合された動作検出構成要素を使用して検出され得る。本発明の実施例によれば、動作検出構成要素（例えば図１の106）はコントローラ（例えばプロセッサ101）に結合されており、コントローラは貴重な可動アイテム（例えば201）（非限定的に、トラクター、何らかの種類の貨物、何らかの種類の車両、何らかの種類の電子装置、移動電話、セルラ電話、ポータブルコンピュータ装置、自動車電気システム等）に結合され得る。本発明の実施例では、動作検出器106は、貴重な可動アイテム201に結合された起動構成要素（例えば100）の一部でもよい。動作検出器106は、起動構成要素100の動作状態の変化を検出し得る。例えば、動作検出器106は、起動構成要素100が実質的な静止状態から移動状態にいつ遷移したかを検出し得る。動作検出器106はまた、起動構成要素100が移動状態から実質的な静止状態にいつ遷移したか、及び／又は起動構成要素100の移動率の変化を検出し得る。従って、動作検出器106はまた、貴重な可動アイテム201が実質的な静止状態から移動状態にいつ遷移したかを検出し得る。動作検出器106はまた、貴重な可動アイテム201が移動状態から実質的な静止状態にいつ遷移したか、及び／又は貴重な可動アイテム201の移動率の変化を検出し得る。
【００７３】
動きを検出する動作検出構成要素を起動構成要素100に結合することは、電池117又は貴重な可動アイテム201の電池の消費電力を低減する新規な方法である。この理由は、動きが生じていないときに、起動構成要素100が最小量の電力を引き出しつつ、貴重な可動アイテム201の位置を監視することを可能にするからである。本発明の実施例では、起動構成要素100がアイドル動作状態にある間に、コントローラ101及び動作検出器106のリアルタイムクロックのみが電力を引き出し得る。起動構成要素100は、動作検出器106が貴重な可動アイテム201の動作状態の変化を検出しなければ、その地理的位置を決定しようとしなくてもよい点に留意すべきである。従って、貴重な可動アイテム201の位置を監視する位置測定の数が最小化され、消費電力が減少する。本発明の実施例では、位置検出器106は、加速度センサ、傾きセンサ、回転センサ、ジャイロスコープ等として実装されてもよく、これらに限定されない。
【００７４】
図５の動作520において、動きがコントローラに指示される。本発明の実施例では、動作検出器106が起動構成要素100の動きを検出したときに、この動きをコントローラ（例えばプロセッサ101）に指示する（例えば割り込み信号を生成する）。
【００７５】
動作530において、貴重な可動アイテムを制御する１つ以上のコマンドは、指示に応じて生成され得る。例えば、割り込み信号に応じて、プロセッサ101は、無線通信構成要素107及び位置決定構成要素110のような起動構成要素100の他の構成要素を起動し得る。次に、位置決定構成要素110を使用して起動構成要素100の地理的位置が決定される。プロセッサ101は、現在の地理的位置と、所定の地域（又は区域又は領域又は経路）を規定する地理的座標とを比較し得る。所定の地域の座標は、揮発性メモリ101及び／又は記憶装置105に存在してもよい。この比較に応じて、プロセッサ101は、制御要素113に対して、起動構成要素100が存在する又は関連する貴重な可動アイテムを制御するコマンドを生成させる。
【００７６】
代替として、プロセッサ101は、貴重な可動アイテム自体を制御するコマンドを生成してもよい。例えば、起動構成要素100は、制限地域（劇場又は劇場又は搭乗中の出発ラウンジから飛行機までの通路等）に入ったときに、貴重な可動アイテムを非活性化させる１つ以上のコマンドを生成するように構成されてもよい。起動ユニット100は、このシャットダウン機能を自律的に実行するように動作するようにプログラム可能であるため、カバンに保管された貴重な可動アイテムでも同様に動き、使用不可能なスペースにあるときに電池の放電を中止することにより他の貴重なサービスを実行する。貴重な可動アイテムが制限地域の外側に移動すると、プロセッサ101は、可動アイテムを再び活性化させる信号を生成してもよい。このことは、制限領域に入ったときに貴重な可動アイテムの電源をオフにすることを忘れ、又は制限領域を出たときにオンに戻すことを忘れるユーザにとって非常に便利になり得る。
【００７７】
図６は、本発明の実施例に従って貴重な可動アイテムを制御する方法600のフローチャートである。方法600は、コンピュータ装置が読み取り可能及び実行可能な命令（又はコード）の制御で、プロセッサ及び電気構成要素により実行され得る本発明の実施例を有する。コンピュータ装置が読み取り可能及び実行可能な命令（又はコード）は、例えば、揮発性メモリ、不揮発性メモリ及び／又は大容量データ記憶装置のようなデータ記憶機能に存在してもよい。しかし、コンピュータ装置が読み取り可能及び実行可能な命令（又はコード）は、如何なる種類のコンピュータ装置が読み取り可能な媒体に存在してもよい。特定の実施例が方法600で開示されているが、このような動作は例示である。すなわち、方法600は、図６に示す動作の全てを有さなくてもよい。代替として、方法600は、様々な他の動作及び／又は図４に示す動作の変更を有してもよい。方法600の動作はそれぞれ、ソフトウェア、ファームウェア、ハードウェア又はこれらの何らかの組み合わせで実行され得る点に留意すべきである。
【００７８】
動作610において、貴重な可動アイテム（例えば201）の動きが検出され得る。動作610は様々な方法で実装され得る点に留意すべきである。例えば、貴重な可動アイテムに結合された動作検出構成要素（例えば106）が、貴重な可動アイテムの何らかの動きを検出するために利用され得る。本発明の実施例によれば、動作検出構成要素はコントローラ（例えばプロセッサ101）に結合され得る。コントローラは貴重な可動アイテムに結合され得る。貴重な可動アイテムは、ここに記載された如何なる方法で実装されてもよく、このようなものに限定されない。本発明の実施例では、動作検出器（例えば106）は、貴重な可動アイテムに結合された起動構成要素又は装置（例えば100）の一部でもよい。動作検出器は、貴重な可動アイテムの動作状態の変化を検出し得る。例えば、動作検出器は、貴重な可動アイテムが実質的な静止状態から移動状態にいつ遷移したかを検出し得る。動作検出器はまた、貴重な可動アイテムが移動状態から実質的な静止状態にいつ遷移したか、及び／又は貴重な可動アイテムの移動率の変化を検出し得る。
【００７９】
動きを検出する動作検出構成要素を起動構成要素100に結合することは、電池117又は貴重な可動アイテム201の電池の消費電力を低減する新規な方法である。この理由は、動きが生じていないときに、起動構成要素100が最小量の電力を引き出しつつ、貴重な可動アイテム201の位置を監視することを可能にするからである。本発明の実施例では、起動構成要素100がアイドル動作状態にある間に、コントローラ101及び動作検出器106のリアルタイムクロックのみが電力を引き出し得る。起動構成要素100は、動作検出器106が貴重な可動アイテム201の動作状態の変化を検出しなければ、その地理的位置を決定しようとしなくてもよい点に留意すべきである。従って、貴重な可動アイテム201の位置を監視する位置測定の数が最小化され、消費電力が減少し得る。本発明の実施例では、位置検出器106は、加速度センサ、傾きセンサ、回転センサ、ジャイロスコープ、動作センサ等として実装されてもよく、これらに限定されない。
【００８０】
図６の動作620において、貴重な可動アイテムの動きがコントローラに指示され得る。本発明の実施例では、動作検出器106が貴重な可動アイテム（及び／又は起動構成要素100）の動きを検出したときに、動作620でコントローラ（例えばプロセッサ101）にこの動きを指示し得る（例えば割り込み信号を生成する）。
【００８１】
動作630において、コントローラは、貴重な可動アイテムに関連する動きの指示に応じて、他の構成要素を活性化し得る。動作630は様々な方法で実装され得ることがわかる。例えば、コントローラ（例えばプロセッサ101）は、無線通信構成要素（例えば107）及び位置決定構成要素（例えば110）のような起動構成要素（例えば100）の他の構成要素を活性化し得る。
【００８２】
図６の動作640において、新たに活性化された構成要素がアイドル又はスリープ状態にある間に、参照テーブルの１つ以上の所定のイベントが生じたか否かについて決定が行われ得る。生じない場合、方法600は終了する。しかし、動作640において、参照テーブルの１つ以上の所定のイベントが生じた場合、方法600は動作650に進む。
【００８３】
動作640は様々な方法で実装され得ることがわかる。例えば、コントローラ（例えばプロセッサ101）は、新たに活性化された構成要素がアイドル状態にある間に、参照テーブル又はイベントのテーブルの１つ以上の所定のイベントが生じたか否かを決定し得る。例えば、参照テーブルの一部として含まれ得る“イベント”の１つは、貴重な可動アイテムに関連する何らかの故障が存在するか否かを決定することである。何らかの故障が存在する場合、何らかの故障を報告する無線メッセージを送信するために、新たに活性化された無線通信構成要素がコントローラにより使用され、また、それに関連する支援を要求し得る。代替として、参照テーブルは、位置決定構成要素110を使用して貴重な可動アイテム（又は起動構成要素100）の地理的位置を決定する“イベント”を有し得る。参照テーブルの他の“イベント”は、貴重な可動アイテム（又は起動構成要素100）の現在の地理的位置が所定の地域（又は区域又は領域又は経路）内にあるか否かを決定することを有し得る。所定の地域は、揮発性メモリ104及び／又は記憶装置105に存在し得る地理的座標により規定され得る。参照テーブルの更に他の“イベント”は、貴重な可動アイテム（又は起動構成要素100）が動かされるべきでないときに移動中であることでもよい。参照テーブルの他の“イベント”は、貴重な可動アイテム（又は起動構成要素100）が動かされるべきときに移動中でないことでもよい。
【００８４】
動作650において、コントローラは、参照テーブル（又はイベントのテーブル）の１つ以上のイベント又は動作の発生を報告し得る。このように、参照テーブルのイベント又は動作は、発生時に報告することを誘導する。動作650は様々な方法で実装され得る点に留意すべきである。例えば、コントローラは、参照テーブルの１つ以上のイベント又は動作の発生を報告するために、新たに活性化された無線通信構成要素（例えば107）を利用し、無線メッセージをサービスプロバイダ（例えば204）に送信し得る。サービスプロバイダは、そのメッセージを貴重な可動アイテムのユーザ又は他の組織（例えば、司法当局、修理機関等）に転送し得る。本発明の実施例では、参照テーブルの１つ以上のイベント又は動作の発生を記述又は記載するテキストメッセージがユーザの移動電話（例えば205）に送信されてもよく、電子メールメッセージがユーザの家又は職場のコンピュータ（例えば206）に送信されてもよい。
【００８５】
図６の動作660において、貴重な可動アイテムを制御する１つ以上のコマンドが生成され得る。本発明の実施例では、発生した参照テーブルの１つ以上のイベントに応じて、貴重な可動アイテムを制御する１つ以上のコマンドが生成され得る。例えば、貴重な可動アイテム（例えば201）が所定の地域又は経路内にあるときに、可動アイテムを制御する第１のコマンドが生成され得る。貴重な可動アイテム（例えば201）がその地域又は経路の外に動かされると、可動アイテムを制御する異なるコマンドが生成され得る。動作660で貴重な可動アイテムを制御するために生成された１つ以上のコマンドは、ここに記載したものと同様の方法で実装可能であり、このようなものに限定されない点に留意すべきである。動作660が終了すると、方法600が終了する。
【００８６】
本発明による実施例は、方法400、500及び600の如何なる組み合わせにより作られてもよい。更に、方法400、500及び600の２つ以上の動作が組み合わされ、本発明の実施例を形成してもよい。
【００８７】
本発明の実施例に関連して言及した貴重な可動アイテムは、様々な方法で実装可能である点に留意すべきである。例えば、貴重な可動アイテムは、Caterpillar  Articulated  Truck（Three  Axis  models  725、730、735、740及び740  Ejector等）、Caterpillar  Backhoe  Loader（Center-Pivot  models  416D、420D、430D、446B及び446D、又はCenter-Pivot  with  Integrated  Toolcarrier  models  420D IT及び430D IT等）、Caterpillar  Cold  Planar（model  PM-565B等）、Caterpillar  Compactor（Soil  models  815F及び825G  Series  II、Landfill  models  816F、826G  Series  II、及び836G、並びにVibratory  Soil  models  CP-323C、CP-433E、CP-533E、CP-563E、CP-633E及びCS-323C等）、Caterpillar  Forest  Machine（models  320C  FM、322C  FM、325C  FM及び330C  FM等）、Caterpillar  Front  Shove（models  5090B、5130B  FS1及び5230B  FS等）、Caterpillar  Hydraulic  Excavator（Mini  models  301.5。301.6、301.8、302.5、303  CR、304  CR及び305  CR、並びにSmall  models  307C、307C  SB、308C  CR、311C  CR、311C  Utility及び312C  L等）、Caterpillar  Material  Handler（Track-Type  models  320C  MH、325C  MH、330C  MH、345B  MH  Series II、365B  MH及び375  MH、並びにWheel  models  M318  MH、M320  MH、M325C  L  MH及びW345B  Series  II  MH等）、Caterpillar  Motor  Grader（models  120H  Global、12H  Global、135H  Global、140H  Global、14H  Global及び160H  Global、並びにAll  Wheel  Drive  models  143H  Global、143H、163H  Global及び163H、並びにMining  model  16H等）、Caterpillar  Multi  Terrain  Loader（models  247B、257B、267B、277B及び287B等）、Caterpillar  Off-Highway  Tractor（models  776D及び784C等）、Caterpillar  Off-Highway  Truck（models  769D、773E、775E及び777D、並びにQuarry  models  771 D及び775D、並びにMining  Trucks  models  785C、789C及び793C等）、Caterpillar  Paving  Equipment（Asphalt  Paver  models  AP-1000B、AP-800C、AP-900B、BG-230、BG-240C及びBG-260C、並びにAsphalt  Paver-Track  Paver  models  AP-1050B、AP-650B、BG-225C及びBG-245C等）、Caterpillar  Pipelayer（Medium  models  561N及び572R  Series II、並びにLarge  models  583R及び589等）、Caterpillar  Road  Reclaimer（models  RM-250C及びRM-350B等）、Caterpillar  Wheel  Tractor-Scraper（Elevating  models  613C  Series  II、615C  Series  II及び623G、並びにCoal  Bowl  models  637E  Series  II及び657E、並びにOpen  Bowl  models  621G、627G、631G及び637G等）、Caterpillar  Skid  Steer  Loader（models  216B、226B、232B、236B、242B、246B、248B、252B、262B及び268B等）、Caterpillar  Soil  Stabilizers（models  RM-350B及びSS-250B等）、Caterpillar  Telenandler（models  TH220B、TH330B、TH340B、TH350B及びTH560B等）、Caterpillar  Track  Loader（Small  model  939C  Hystat、Medium  model  953C、Large  models  963C及び973C、並びにWaste  Handling  Arrangement  models  953C  WH、963C  WM及び973C  WH等）、Caterpillar  Track-Type  Tractor（Small  models  D3G、D4G及びD5G、Medium  models  D5N、D6N、D6N  FA、D6R  Series  II、並びにD7R  Series  II、並びにLarge  models  D1  OR、D1  1R及びD11  R  CD等）、Caterpillar  Wheel  Dozer（Medium  models  814F、824G  Series  II及び834G、並びにLarge  models  844及び854G等）として実装可能であり、これらに限定されない。
【００８８】
本発明の特定の実施例の前述の説明は。例示及び説明の目的で提示されている。これらは網羅的であること又は開示された正確な形式に本発明を限定することを意図しない。明らかに、前記の教示を鑑みて多数の変更及び変形が可能である。本発明は特定の実施例で記載されているが、本発明はこのような実施例により限定されるものとして解釈されるべきではなく、特許請求の範囲に従って解釈されるべきであることがわかる。
【図面の簡単な説明】
【００８９】
【図１】本発明の実施例による例示的な起動構成要素のブロック図
【図２】本発明の実施例による位置追跡システムの図
【図３】本発明の実施例に従って利用される起動構成要素の動作状態を示す図
【図４】本発明の実施例に従って可動アイテムを制御する方法のフローチャート
【図５】本発明の実施例に従って可動アイテムの消費電力を制御する方法のフローチャート
【図６】本発明の実施例に従って可動アイテムを制御する方法のフローチャート
【図１】
2008517490.tif 000003
【図２】
2008517490.tif 000004
【図３】
2008517490.tif 000005
【図４】
2008517490.tif 000006
【図５】
2008517490.tif 000007
【図６】
2008517490.tif 000008
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
可動アイテムに結合された動作検出構成要素を使用して、前記可動アイテムの動きを検出し、
前記可動アイテムに結合されたコントローラに前記動きを指示し、
前記指示に応じて及び所定の状況に応じて前記可動アイテムを制御するコマンドを生成することを有する方法。
【請求項２】
前記所定の状況は、前記可動アイテムの地理的位置を有し、
前記方法は、
前記可動アイテムの地理的位置を決定するために位置決定動作を実行し、
前記地理的位置が所定の地域内であるか否かを決定し、
前記決定に応じて前記コマンドを生成することを更に有する請求項１に記載の方法。
【請求項３】
前記可動アイテムと起動装置とを結合することを更に有し、
前記起動装置は、
前記コントローラと、
前記動作検出構成要素と、
前記位置決定構成要素と
を有する請求項１に記載の方法。
【請求項４】
前記コントローラ、前記動作検出構成要素及び前記位置決定構成要素を、前記可動アイテム内に分配することを有する請求項３に記載の方法。
【請求項５】
前記位置決定動作は、前記可動アイテムの前記地理的位置を決定するために衛星型位置決定システム又は地上波型位置決定システムを利用することを有する請求項１に記載の方法。
【請求項６】
前記所定の状況は、現在時間を有する、請求項１に記載の方法。
【請求項７】
前記コントローラに結合された無線通信構成要素を使用してメッセージを送信することを更に有する請求項１に記載の方法。
【請求項８】
前記コントローラは、前記地理的位置が前記所定の地域の外側であることが決定された場合に、前記無線通信装置に前記メッセージを自動的に送信させる請求項７に記載の方法。
【請求項９】
前記メッセージは、前記可動アイテムに関連する故障についての情報を有する請求項７に記載の方法。
【請求項１０】
前記可動アイテムに関連するイベントを検出し、前記メッセージを送信することを誘導するために参照テーブルを利用することを更に有する請求項７に記載の方法。
【請求項１１】
前記メッセージを送信することは、前記無線通信構成要素を使用して前記地理的位置を伝達することを有する請求項７に記載の方法。
【請求項１２】
前記可動アイテムは、車両、貨物、トラクター、バックホー、オフハイウェイ・トラクター、オフハイウェイ・トラック、舗装機械、電子装置、トラクター・スクレーパー、コンピュータ、工具、器具、セルラ電話、ポータブルコンピュータ装置、ラップトップコンピュータ、及び自動車電気システムを有するグループから選択される請求項１に記載の方法。
【請求項１３】
可動アイテム用の起動構成要素であって、
前記可動アイテムに結合され、前記可動アイテムの動きを検出する動作検出構成要素と、
前記可動アイテムに結合されたコントローラに前記動きを指示する手段と、
前記指示に応じて及び所定の状況に応じて前記可動アイテムを制御するコマンドを生成する手段と
を有する起動構成要素。
【請求項１４】
前記コントローラに結合され、前記可動アイテムの地理的位置を確認する位置決定構成要素を有し、
前記動作検出構成要素は、前記可動アイテムの動きが検出されたときに信号を生成する請求項１３に記載の起動構成要素。
【請求項１５】
前記コントローラは、前記信号に応じて、前記位置決定構成要素に前記地理的位置を自動的に決定させる請求項１４に記載の起動構成要素。
【請求項１６】
前記コントローラは、前記地理的位置が所定の地域内であるか否かを決定し、前記決定に応じて前記可動アイテムを制御するコマンドを生成する請求項１４に記載の起動構成要素。
【請求項１７】
前記コントローラに結合された無線通信構成要素を更に有する請求項１４に記載の起動構成要素。
【請求項１８】
前記コントローラは、前記地理的位置が前記所定の地域の外側であることが決定された場合に、前記無線通信構成要素にメッセージを自動的に送信させる請求項１７に記載の起動構成要素。
【請求項１９】
前記コントローラ、前記動作検出構成要素及び前記位置決定構成要素は、前記可動アイテム内に分配される請求項１４に記載の起動構成要素。
【請求項２０】
前記動作検出構成要素は、加速度センサ、傾きセンサ、振動センサ、回転センサ、ジャイロスコープ又は動作センサである請求項１４に記載の起動構成要素。
【請求項２１】
前記電子装置は、車両、貨物、トラクター、バックホー、オフハイウェイ・トラクター、オフハイウェイ・トラック、舗装機械、電子装置、トラクター・スクレーパー、コンピュータ、工具、器具、セルラ電話、ポータブルコンピュータ装置、ラップトップコンピュータ、及び自動車電気システムを有するグループから選択される請求項１４に記載の起動構成要素。
【請求項２２】
位置追跡サービスプロバイダと、
請求項１３ないし２１のうちいずれか１項に記載の起動構成要素に結合された可動アイテムと
を有する位置追跡システム。
【請求項２３】
前記位置決定構成要素は、前記地理的位置を確認するために位置決定システムを使用する請求項２２に記載の位置追跡システム。
【請求項２４】
前記位置決定システムは、衛星型位置決定システム又は地上波型位置決定システムを有する請求項１６に記載の位置追跡システム。
【請求項２５】
前記メッセージは、前記可動アイテムに関連する故障についての情報を有する請求項１８に記載の位置追跡システム。
【請求項２６】
前記コントローラは、前記メッセージを送信させる前記可動アイテムに関連するイベントを検出するために参照テーブルを利用する請求項１８に記載の位置追跡システム。
【手続補正２】
【補正対象書類名】明細書
【補正対象項目名】０００５
【補正方法】変更
【補正の内容】
【０００５】
最近、特定の環境で様々な電子装置に関して問題が伝えられている。例えば、航空会社は、乗客が離陸及び着陸中に移動電話及びラップトップコンピュータの使用を避けることを要求している。この理由は、飛行機上のナビゲーション及び他の計測システムの動作を損ない得る電磁妨害を生じ得るからである。２００１年７月から、米国国防総省は、更なる無線通信ネットワークの構築を一時停止しており、国防総省により明示的に承認されていない装置を使用した機密ネットワーク又はコンピュータへの接続を禁止している。これは、安全なデータの意図的でない危険を回避するためであり、ページャ、携帯情報端末（PDA）及び無線電子メール（e-mail）装置のようなパーソナル無線装置を含む。他の例として、劇場及びレストランのような多数の公共施設は、顧客が施設内で無線装置（例えば、移動電話及びページャ）の電源をオフすることを要求している。
【特許文献１】米国特許第６，８０４，６０２号明細書
【特許文献２】米国特許第６，５０５，０４９号明細書
【特許文献３】米国特許第６，６５８，３４９号明細書
【特許文献４】米国特許第６，６５７，５８７号明細書
【特許文献５】米国特許第６，６０９，０６４号明細書
【特許文献６】米国特許第６，５１２，４６５号明細書
【特許文献７】米国特許第６，３６２，７３６号明細書
【特許文献８】米国特許第６，３５６，１９６号明細書
【特許文献９】米国特許第６，８０１，８５３号明細書
【特許文献１０】米国特許第５，６５０，７７０号明細書
【特許文献１１】米国特許出願第２００４／００３４４７０号明細書
【特許文献１２】国際公開第ＷＯ第２００４／０１７２７２号明細書
【特許文献１３】英国特許第２３７３０８６号明細書
【特許文献１４】米国特許第５，９１７，４０５号明細書
【特許文献１５】国際公開第ＷＯ第２００３／００７２６１号明細書
【特許文献１６】国際公開第ＷＯ第２００４／０８３８８８号明細書
【国際調査報告】
2008517490.tif 000009